(57)【特許請求の範囲】
【請求項１】
浴槽の側壁に側壁を貫通するように吸い込み口部材を装着し、吸い込み口部材の浴槽内に開口せる吸い込み口を覆うように浴槽内に吸い込み口カバーを配置すると共に吸い込み口カバーに多数の通水孔を形成し、吸い込み口カバーから吸い込み口部材内に向けて軸部を突設すると共に吸い込み口部材内に設けた支持筒に上記軸部を軸部の長手方向に軸部が摺動自在になるように挿通して支持筒に軸部を支持し、軸部にマグネットを装着すると共に軸部が支持筒内に押し込まれてマグネットが近接したときマグネットの磁気を検出する磁気検知手段を吸い込み口部材を装着し、マグネットと磁気検知手段とが離間するように軸部を付勢するバネを支持筒に配置し、磁気検知手段が磁気を検知したときにジェットバスの吸い込みポンプを停止するようにしたことを特徴とするジェットバスの吸い込み口の構造。
【請求項２】
吸い込み口カバーの周縁と浴槽の側壁の内面との間にこれらの間をシールする蛇腹部材を介装して成ることを特徴とする請求項１記載のジェットバスの吸い込み口の構造。
【発明の詳細な説明】
【０００１】
【発明の属する技術分野】
本発明は、ジェットバスで浴槽内の水を吸い込む吸い込み口部分の構造に関するものである。
【０００２】
【従来の技術】
従来のジェットバスの吸い込み口の構造は図２に示すように構成されていた。浴槽１の側壁の適所には側壁を貫通するように吸い込み口部材２を装着してあり、吸い込み口部材２の吸い込み口３を浴槽１内に開口させてある。この吸い込み口部材２にはジェットバスの吸い込みポンプを連通させてあり、浴槽１内の水を吸い込み口３を介して吸い込むことができるようになっている。浴槽１内には吸い込み口３を覆うように吸い込み口カバー４を配置してあり、この吸い込み口カバー４を吸い込み口部材２に取り付けてある。吸い込み口カバー４には多数個の通水孔５を穿孔してあり、浴槽１内の水が通水孔５、吸い込み口３、吸い込み口部材２を介して吸い込みポンプに吸い込まれるようになっている。吸い込み口カバー４には吸い込み口部材２内に向けて突出する軸部６を一体に設けてあり、吸い込み口部材２内には支持筒７を一体に設けてあり、軸部６の外周の雄ねじ部１８を支持筒７内の雌ねじ部１９に螺合して軸部６を支持筒７に挿通することで吸い込み口カバー４を吸い込み口部材２に取り付けてある。
【０００３】
【発明が解決しようとする課題】
ジェットバスの運転中は吸い込みポンプが駆動されて浴槽１内の水が吸い込み口カバー４の通水孔５、吸い込み口３を介して吸い込まれるが、毛髪やタオルが吸い込み口カバー４の通水孔５を塞ぐと、吸い込みポンプが空運転となり、吸い込みポンプの故障となるという問題がある
本発明は上記の点に鑑みてなされたものであり、毛髪やタオルで通水孔が塞がれて吸い込み口部材内が負圧になったとき吸い込みポンプが停止され、吸い込みポンプの故障の原因とならないジェットバスの吸い込み口の構造を提供することを課題とするものである。
【０００４】
【課題を解決するための手段】
上記課題を解決するため本発明のジェットバスの吸い込み口の構造は、浴槽１の側壁に側壁を貫通するように吸い込み口部材２を装着し、吸い込み口部材２の浴槽１内に開口せる吸い込み口３を覆うように浴槽１内に吸い込み口カバー４を配置すると共に吸い込み口カバー４に多数の通水孔５を形成し、吸い込み口カバー４から吸い込み口部材２内に向けて軸部６を突設すると共に吸い込み口部材２内に設けた支持筒７に上記軸部６を軸部６の長手方向に軸部６が摺動自在になるように挿通して支持筒７に軸部６を支持し、軸部６にマグネット８を装着すると共に軸部６が支持筒７内に押し込まれてマグネット８が近接したときマグネット８の磁気を検出する磁気検知手段９を吸い込み口部材２に装着し、マグネット８と磁気検知手段９とが離間するように軸部６を付勢するバネ１０を支持筒７に配置し、磁気検知手段９が磁気を検知したときにジェットバスの吸い込みポンプを停止するようにしたことを特徴とする。ジェットバスの運転中は吸い込みポンプが駆動されて浴槽１内の水は吸い込み口カバー４の通水孔５、吸い込み口３、吸い込み口部材２を介して吸い込みポンプに吸い込まれる。毛髪やタオルで吸い込み口カバー４の通水孔５が塞がれたとき、吸い込み口部材２内が負圧になるが、これにより吸い込み口カバー４と一緒に軸部６がバネ１０に抗して移動してマグネット８が磁気検出手段９に近接して磁気が検出され、吸い込みポンプが停止される。これにより吸い込みポンプが空運転されるのが防止され、吸い込みポンプが故障したりすることがなくなる。
【０００５】
また吸い込み口カバー４の周縁と浴槽１の側壁の内面との間にこれらの間をシールする蛇腹部材１１を介装して成ることを特徴とすることも好ましい。この場合、吸い込み口カバー４の周縁と浴槽１の側壁の内面との間がシールされ、吸い込み口カバー４の通水孔５が塞がれたとき吸い込み口部材２内が負圧になりやすく、磁気検出手段９の検知が確実且つ迅速になり、吸い込みポンプの停止が確実且つ迅速になり、吸い込みポンプの故障を一層防止できる。
【０００６】
【発明の実施の形態】
図１に示すように浴槽１の側壁の適所には内外に貫通するように取り付け穴１３を穿孔してあり、この取り付け穴１３に吸い込み口部材２を挿通して取り付けてある。吸い込み口部材２は取り付け穴１３に挿通し、固定ナット１４を締結することでフランジ１５と固定ナット１４との間に取り付け穴１３の穴縁を挟持して取り付けてある。このとき、フランジ１５と固定ナット１４との間に断面略Ｕ字状のパッキン１６を全周に亙って介装してある。吸い込み口部材２を上記のように取り付けることで吸い込み口３は浴槽１内に向けて開口している。この吸い込み口部材２には吸い込みポンプが接続されており、吸い込みポンプを駆動することで吸い込み口３から吸い込まれるようになっている。
【０００７】
吸い込み口３を覆うように取り付ける吸い込み口カバー４には多数個の通水孔５を穿孔してあり、吸い込み口カバー４の背面の中央には吸い込み口カバー４と直交するように軸部６を一体に突設してある。また吸い込み口部材２内には先端が吸い込み口３の中央に位置するように円筒状の支持筒７を一体に設けてある。上記吸い込み口カバー４は浴槽１内で吸い込み口３を覆うように配置してあり、軸部６を支持筒７に挿通することにより吸い込み口部材２に取り付けてある。軸部６を支持筒７内に挿通することにより軸部６が摺動自在に取り付けられるが、軸部６と支持筒７との間のＯリングのようなゴム部材１７が介装されており、このゴム部材１７にて軸部６が支持筒７から簡単に抜けないようになっている。
【０００８】
軸部６の吸い込み口カバー４と反対の端部にはマグネット８を埋設するように装着してあり、支持筒７の基端側で吸い込み口部材２の外にはホール素子、リードスイッチ等の磁気検出手段９を装着してある。磁気検出手段９は軸部６が支持筒７の奥に入ってマグネット８が磁気検出手段９に近接したとき磁気を検出するようになっている。磁気検出手段９がマグネット８の近接にて磁気を検出したとき吸い込みポンプが停止するように制御されるようになっている。支持筒７内には支持筒７の奥部と軸部６の端部との間に位置するようにコイルバネのようなバネ１０を介装してあり、マグネット８と磁気検出手段９とが離間するように付勢してある。吸い込み口カバー４の周囲には蛇腹部材１１を装着してあり、この蛇腹部材１１を浴槽１の側壁の内面に弾接させることにより吸い込み口カバー４の周縁と浴槽１の側壁の内面との間をシールしてある。
【０００９】
しかしてジェットバスの運転中には吸い込みポンプが駆動され、浴槽１内の水が吸い込み口カバー４の通水孔５、吸い込み口３、吸い込み口部材２を介して吸い込みポンプに吸い込まれる。このとき、吸い込み口カバー４の通水孔５が毛髪やタオル等で塞がれたりして吸い込み口カバー４から水が吸い込まれるなくなると、吸い込みポンプの吸い込みにて吸い込み口部材２内が負圧になり、吸い込み口カバー４がバネ１０に抗して吸い込み口３側に移動し、マグネット８が磁気検出手段９に近接して磁気が検出され、磁気検出手段９の磁気の検出にて吸い込みポンプが停止される。これにより吸い込みポンプが空運転となって故障するのを防止できる。このとき吸い込み口カバー４の周囲に蛇腹部材１１を設けて蛇腹部材１１にて吸い込み口カバー４の周縁と浴槽１の側壁の内面との間をシールしてあると、吸い込み口カバー４の通水孔５が塞がれたとき吸い込み口部材２内が負圧になりやすく、磁気検出手段９の検出が確実且つ迅速になり、吸い込みポンプの停止が確実且つ迅速になり、吸い込みポンプの故障を一層防止できる。
【００１０】
【発明の効果】
本発明の請求項１の発明は、叙述の如く吸い込み口カバーから吸い込み口部材内に向けて軸部を突設すると共に吸い込み口部材内に設けた支持筒に上記軸部を軸部の長手方向に軸部が摺動自在になるように挿通して支持筒に軸部を支持し、軸部にマグネットを装着すると共に軸部が支持筒内に押し込まれてマグネットが近接したときマグネットの磁気を検出する磁気検知手段を吸い込み口部材を装着し、マグネットと磁気検知手段とが離間するように軸部を付勢するバネを支持筒に配置し、磁気検知手段が磁気を検知したときにジェットバスの吸い込みポンプを停止するようにしたので、ジェットバスの運転中は吸い込みポンプが駆動されて浴槽内の水は吸い込み口カバーの通水孔、吸い込み口、吸い込み口部材を介して吸い込みポンプに吸い込まれるが、毛髪やタオルで吸い込み口カバーの通水孔が塞がれたとき、吸い込み口部材内が負圧になり、これにより吸い込み口カバーと一緒に軸部がバネに抗して移動してマグネットが磁気検出手段に近接して磁気が検出され、吸い込みポンプが停止されるものであって、吸い込みポンプが空運転されるのが防止され、吸い込みポンプが故障したりすることがなくなるものである。
【００１１】
また本発明の請求項２の発明は、請求項１において、吸い込み口カバーの周縁と浴槽の側壁の内面との間にこれらの間をシールする蛇腹部材を介装しているので、吸い込み口カバーの周縁と浴槽の側壁の内面との間がシールされ、吸い込み口カバーの通水孔が塞がれたとき吸い込み口部材内が負圧になりやすく、磁気検出手段の検出が確実且つ迅速になり、吸い込みポンプの停止が確実且つ迅速になり、吸い込みポンプの故障を一層防止できるものである。
【図面の簡単な説明】
【図１】本発明の実施の形態の一例を示す断面図である。
【図２】従来例の断面図である。
【符号の説明】
１  浴槽
２  吸い込み口部材
３  吸い込み口
４  吸い込み口カバー
５  通水孔
６  軸部
７  支持筒
８  マグネット
９  磁気検出手段
１０  バネ
１１  蛇腹部材
【図１】
0003729104.tif 000002
【図２】
0003729104.tif 000003